(57)【特許請求の範囲】
【請求項１】
被検体に静磁場と傾斜磁場と高周波磁場を印加して前記被検体から発生される核磁気共鳴信号を計測する撮像シーケンスを実行する計測制御部と、計測された前記核磁気共鳴信号に基づいて画像を生成する画像再構成部と、生成された画像を表示する表示部と、前記計測制御部に制御指令を入力する入力部とを備えてなり、
前記計測制御部は、前記被検体に装着された生体信号センサから生体信号を入力して、少なくとも１周期に対応する生体信号波形を前記表示部に表示する処理を繰り返す生体信号表示処理部と、設定される撮像パラメータに基づいて同期計測に係る計測時間を算出し、算出された前記計測時間を示す表示を前記生体信号波形に時間的位置関係を対応付けて前記表示部に表示する同期計測表示処理部とを備え、
前記同期計測表示処理部は、前記入力部から入力設定される前記生体信号波形の許容振幅と前記計測時間の時間幅とからなる許容領域を、前記生体信号波形の時間的位置及び振幅位置に対応付けて前記表示部に重ねて表示することを特徴とする磁気共鳴イメージング装置。
【請求項２】
前記同期計測表示処理部は、前記許容領域の前記計測時間内に前記生体信号波形の振幅が収まっているか否かを前記生体信号の複数周期にわたって判定し、前記生体信号波形の振幅が前記許容領域に収まっている周期の割合を前記表示部に表示することを特徴とする請求項１に記載の磁気共鳴イメージング装置。
【請求項３】
被検体に静磁場と傾斜磁場と高周波磁場を印加して前記被検体から発生される核磁気共鳴信号を計測する撮像シーケンスを実行する計測制御部と、計測された前記核磁気共鳴信号に基づいて画像を生成する画像再構成部と、生成された画像を表示する表示部と、前記計測制御部に制御指令を入力する入力部とを備えてなり、
前記計測制御部は、前記被検体に装着された生体信号センサから生体信号を入力して、少なくとも１周期に対応する生体信号波形を前記表示部に表示する処理を繰り返す生体信号表示処理部と、設定される撮像パラメータに基づいて同期計測に係る計測時間を算出し、算出された前記計測時間を示す表示を前記生体信号波形に時間的位置関係を対応付けて前記表示部に表示する同期計測表示処理部とを備え、
前記同期計測表示処理部は、前記入力部から入力される表示指令に応じて、前記生体信号波形のリアルタイム表示、前記生体信号波形の過去の複数周期の平均波形の表示、又は前記生体信号波形の過去の最も短い波形の表示のいずれかを前記表示部に表示させることを特徴とする磁気共鳴イメージング装置。
【請求項４】
前記同期計測表示処理部は、前記生体信号波形の前記計測時間に対応する部分の表示を他の波形部分と異ならせて前記表示部に表示することを特徴とする請求項３に記載の磁気共鳴イメージング装置。
【請求項５】
前記入力部は、前記撮像パラメータを入力設定可能に形成されていることを特徴とする請求項１乃至４のいずれか１項に記載の磁気共鳴イメージング装置。
【請求項６】
前記同期計測表示処理部は、前記入力部から前記計測時間が入力された場合、入力された計測期間に対応して前記撮像パラメータを変更することを特徴とする請求項１乃至４のいずれか１項に記載の磁気共鳴イメージング装置。
【請求項７】
前記計測制御部は、前記入力部から前記同期計測の開始指令が入力されたときに前記同期計測を開始することを特徴とする請求項１乃至６のいずれか１項に記載の磁気共鳴イメージング装置。
【請求項８】
前記計測制御部は、前記入力部から前記同期計測の開始指令が入力されたときに前記同期計測を開始し、該同期計測の実行時に前記許容領域の前記計測時間内に前記生体信号波形の振幅が収まっているか否かを判定し、前記生体信号波形の振幅が前記許容領域に収まっている場合に、前記画像再構成手段に画像再構成を行わせることを特徴とする請求項１に記載の磁気共鳴イメージング装置。
【請求項９】
前記計測制御部は、前記入力部から前記同期計測の開始指令が入力されたときに前記同期計測を開始し、該同期計測の実行時に前記許容領域の前記計測時間内に前記生体信号波形の振幅が収まっているか否かを判定し、前記生体信号波形の振幅が前記許容領域に収まっていない場合は、前記同期計測をやり直すことを特徴とする請求項１に記載の磁気共鳴イメージング装置。
【請求項１０】
前記計測制御部は、前記入力部から入力設定される前記許容領域が変更され、変更後の許容領域から前記生体信号波形が外れた場合は、前記同期計測をやり直すことを特徴とする請求項１に記載の磁気共鳴イメージング装置。
【請求項１１】
前記計測制御部は、前記入力部から前記同期計測の開始指令が入力されたときに前記同期計測を開始し、前記許容領域内に収まる前記生体信号波形に基づいて計測された前記磁気共鳴信号によるｋ空間の充足率を求めて前記表示部に表示するとともに、前記充足率が設定値に達したときに前記画像再構成手段に画像再構成を行わせることを特徴とする請求項１に記載の磁気共鳴イメージング装置。
【発明の詳細な説明】
【技術分野】
【０００１】
本発明は、磁気共鳴イメージング装置に関し、特に生体信号に同期させて磁気共鳴画像を撮像する同期計測を行うのに好適な磁気共鳴イメージング装置に関する。
【背景技術】
【０００２】
磁気共鳴イメージング装置(以下、「ＭＲＩ装置」という。)における撮像では、心臓の動き、脈動の流れ、あるいは呼吸などの生体信号に同期させて、磁気共鳴画像（以下、ＭＲ画像という。）を撮像する同期計測が行われる場合がある。同期計測では、被検体に装着した心電極や脈派センサ、あるいは呼吸センサにより検出される生体信号に基づいてトリガ信号を発生させ、トリガ信号に同期させて核磁気共鳴信号（以下、ＮＭＲ信号という。）を計測収集してＭＲ画像を生成する（例えば、特許文献１）。このような同期計測によれば、心臓の動きや脈動や呼吸の影響が少ないＭＲ画像を撮像することができる。
【０００３】
一般に、同期計測においては、通常、トリガ信号からある一定時間遅れたタイミング（以下、ディレイ時間）に計測を開始し、かつ所定の計測時間内の核磁気共鳴信号（ＮＭＲ信号）を計測する。また、計測時間は、撮影パラメータ（例えば、エコータイム（ＴＥ）、ＲＦパルス繰返し時間（ＴＲ）、マルチスライス数、同期計測のインターバル、など）の値により変わることから、撮影パラメータの値を適切に設定することが必要である。例えば、計測時間がトリガ信号の周期を超えると、そのトリガ信号の周期内に同期計測を行うことができない。逆に、計測時間が短すぎると、ＭＲ画像を再構成するのに必要なＮＭＲ信号を収集するために、複数のトリガ周期にわたって同期計測を行わなければならないので、撮像時間の延長を招いてしまう。
【０００４】
そこで、特許文献１では、生体信号を表す表示と同期計測の計測期間を表す表示とを、互いの時間的位置関係を対応させて同期計測モニタに表示することを提案している。これによれば、同期計測モニタを見ることによって、計測期間が適切か否かを容易に認識できるので、計測時間が適切ではない場合は、撮像パラメータの変更を行うことができる。
【先行技術文献】
【特許文献】
【０００５】
【特許文献１】特開２００８‐１０４７１３号
【発明の概要】
【発明が解決しようとする課題】
【０００６】
しかし、特許文献１では、被検体の状態によって生体信号波形がリアルタイムに変化することについて考慮されていない。つまり、トリガ信号の間隔や生体信号波形は、被検体によっては生体信号の周期ごとに異なったり、また時々刻々と変化することがあるので、計測時間の表示と生体信号波形との時間関係を正確に読み取るのは容易ではない。
【０００７】
本発明が解決しようとする課題は、被検体に装着された生体信号センサからリアルタイムで入力される生体信号波形に対して計測時間が適しているかを容易に確認できる磁気共鳴イメージング装置を提供することにある。
【課題を解決するための手段】
【０００８】
上記の課題を解決するため、本発明の磁気共鳴イメージング装置は、被検体に静磁場と傾斜磁場と高周波磁場を印加して前記被検体から発生される核磁気共鳴信号を計測する撮像シーケンスを実行する計測制御部と、計測された前記核磁気共鳴信号に基づいて画像を生成する画像再構成部と、生成された画像を表示する表示部と、前記計測制御部に制御指令を入力する入力部とを備えてなり、前記計測制御部は、前記被検体に装着された生体信号センサから生体信号を入力して、少なくとも１周期に対応する生体信号波形を前記表示部に表示する処理を繰り返す生体信号表示処理部と、設定される撮像パラメータに基づいて同期計測に係る計測時間を算出し、算出された前記計測時間を示す表示を前記生体信号波形に時間的位置関係を対応付けて前記表示部に表示する同期計測表示処理部とを備えてなることを特徴とする。
【０００９】
このように構成される本発明によれば、生体信号表示処理部により、生体信号センサからリアルタイムで入力される生体信号の波形が表示部に繰返し表示される。一方、同期計測表示処理部により同期計測の計測時間が算出されて、表示部の生体信号波形に時間的位置関係を対応付けて表示される。これにより、リアルタイムで更新される生体信号波形に対して、計測時間の表示も時間的位置関係が更新して表示される。そのため、検者は、リアルタイムで順次入力されて表示部に更新して表示される生体信号波形に対する計測時間の時間的位置関係が適切か否かを、生体信号波形の複数周期にわたって速やかに判断することができる。その結果、設定される撮像パラメータの値の適否を判断して、撮像パラメータの値を調整するなどの対応を容易に行うことができる。
【発明の効果】
【００１０】
本発明の磁気共鳴イメージング装置によれば、被検体に装着された生体信号センサからリアルタイムで入力される生体信号波形に計測時間が適しているかを容易に確認できる。
【図面の簡単な説明】
【００１１】
【図１】本発明の一実施形態の磁気共鳴イメージング装置の全体構成図である。
【図２】本発明の特徴部の実施例１の動作を示すフローチャートである。
【図３】実施例１の同期計測モニタの表示内容を示す図である。
【図４】本発明の特徴部の実施例２の同期計測モニタの表示内容を示す図である。
【図５】本発明の特徴部の実施例３の同期計測モニタの表示内容を示す図である。
【図６】本発明の特徴部の実施例４の同期計測モニタの表示内容を示す図である。
【図７】本発明の特徴部の実施例５の同期計測モニタの表示内容を示す図である。
【発明を実施するための形態】
【００１２】
以下、添付図面に従って、本発明の磁気共鳴イメージング装置（ＭＲＩ装置）の好ましい実施形態について詳説する。
【００１３】
図１に、本発明の一実施形態のＭＲＩ装置の全体構成図を示す。本実施形態のＭＲＩ装置は、核磁気共鳴（ＮＭＲ）現象を利用して被検体の断層画像を得るものである。同図に示すように、ＭＲＩ装置は、静磁場発生系２と傾斜磁場発生系３とからなる磁場発生部と、送信系５と、受信系６と、信号処理系７と、シーケンサ４と、本発明の計測制御部である演算処理部（ＣＰＵ）８とを備えて構成される。
【００１４】
静磁場発生系２は、垂直磁場方式であれば、被検体1の周りの空間にその体軸と直交する方向に、水平磁場方式であれば、体軸方向に均一な静磁場を発生させるもので、被検体1の周りに永久磁石方式、常電導方式あるいは超電導方式の静磁場発生源が配置されている。
【００１５】
傾斜磁場発生系３は、ＭＲＩ装置の座標系（静止座標系）であるＸ，Ｙ，Ｚの３軸方向に傾斜磁場を印加する傾斜磁場コイル９と、それぞれの傾斜磁場コイルを駆動する傾斜磁場電源１０とから成り、後述のシ−ケンサ４からの命令に従ってそれぞれのコイルの傾斜磁場電源１０を駆動することにより、Ｘ，Ｙ，Ｚの３軸方向に傾斜磁場Ｇｘ，Ｇｙ，Ｇｚを印加する。ＭＲＩ撮影時には、スライス面（撮影断面）に直交する方向にスライス方向傾斜磁場パルス（Ｇｓ）を印加して被検体１に対するスライス面を設定し、そのスライス面に直交して且つ互いに直交する残りの２つの方向に位相エンコード方向傾斜磁場パルス（Ｇｐ）と周波数エンコード方向傾斜磁場パルス（Ｇｆ）を印加して、ＮＭＲ信号（エコー信号）にそれぞれの方向の位置情報をエンコードする。
【００１６】
シーケンサ４は、高周波磁場パルス（以下、ＲＦパルスという。）と傾斜磁場パルスを所定の撮像シーケンス（パルスシーケンス）に従って繰り返し印加する。シーケンサ４は、ＣＰＵ８の制御で動作し、被検体１の断層画像のデータ収集に必要な種々の命令を送信系５、傾斜磁場発生系３、および受信系６に送って、駆動制御するようになっている。本発明の計測制御部は、シーケンサ４、ＣＰＵ８を中心に構成されている。
【００１７】
送信系５は、被検体１の生体組織を構成する原子の原子核スピンに核磁気共鳴を起こさせるために、被検体１にＲＦパルスを照射するもので、高周波発振器１１と変調器１２と高周波増幅器１３と送信側の高周波コイル（送信コイル）１４ａとから成る。高周波発振器１１から出力されたＲＦパルスをシーケンサ４からの指令によるタイミングで変調器１２により振幅変調し、この振幅変調されたＲＦパルスを高周波増幅器１３で増幅した後に、被検体１に近接して配置された高周波コイル１４ａに供給することにより、ＲＦパルスが被検体1に照射される。
【００１８】
受信系6は、被検体1の生体組織を構成する原子核スピンの核磁気共鳴により放出されるエコー信号（ＮＭＲ信号）を検出するもので、受信側の高周波コイル（受信コイル）１４ｂと信号増幅器１５と直交位相検波器１６と、Ａ／Ｄ変換器１７とから成る。送信側の高周波コイル１４ａから照射された電磁波によって誘起された被検体１の応答のＮＭＲ信号が被検体１に近接して配置された高周波コイル１４ｂで検出され、信号増幅器１５で増幅された後、シーケンサ４からの指令によるタイミングで直交位相検波器１６により直交する二系統の信号に分割され、それぞれがＡ／Ｄ変換器１７でディジタル量に変換されて、信号処理系７に送られる。
【００１９】
信号処理系７は、各種データ処理と処理結果の表示及び保存等を行うもので、光ディスク１９、磁気ディスク１８等の外部記憶装置と、ＣＲＴ等からなるディスプレイ２０とを有する。受信系６からのデータがＣＰＵ８に入力されると、ＣＰＵ８が信号処理、画像再構成等の処理を実行し、その結果である被検体１の断層画像をディスプレイ２０に表示すると共に、外部記憶装置の磁気ディスク１８等に記録する。
【００２０】
操作部２５は、ＭＲＩ装置の各種制御情報やＣＰＵ８及び信号処理系７で行う処理の制御情報を入力する入力部であり、トラックボール又はマウス２３、及び、キーボード２４を含んで構成される。操作部２５はディスプレイ２０に近接して配置され、操作者がディスプレイ２０を見ながら操作部２５を通してインタラクティブにＭＲＩ装置の各種処理を制御する。
【００２１】
なお、図1において、送信側の高周波コイル１４ａと傾斜磁場コイル９は、被検体１が挿入される静磁場発生系２の静磁場空間内に、垂直磁場方式であれば被検体１に対向して、水平磁場方式であれば被検体１を取り囲むようにして設置されている。また、受信側の高周波コイル１４ｂは、被検体１に対向して、或いは取り囲むように設置されている。
【００２２】
現在、ＭＲＩ装置の撮像対象核種は、臨床で普及しているものとしては、被検体の主たる構成物質である水素原子核（プロトン）である。プロトン密度の空間分布や、励起状態の緩和時間の空間分布に関する情報を画像化することで、人体頭部、腹部、四肢等の形態または、機能を２次元もしくは３次元的に撮像する。
【００２３】
次に、本発明の特徴部に関係する生体信号表示処理部３２と同期計測表示処理部３３に係る構成について、図２を参照して説明する。これらの生体信号表示処理部３２と同期計測表示処理部３３は、本発明の計測制御部であるＣＰＵ８及び信号処理系７に組み込まれるが、独立に構成してもよい。被検体１に装着された生体信号センサ３１により検出された生体信号は、生体信号表示処理部３２にリアルタイムで入力される。生体信号表示処理部３２は、入力される生体信号から予め定められたトリガに対応する波形等を検出して、トリガ信号３５を同期計測表示処理部３３に出力する。また、少なくともトリガ信号３５の１周期に対応する生体信号３７を、表示部であるディスプレイ２０の同期計測モニタ２０ａに表示するようになっている。これにより、トリガを検知するたびに、生体信号波形の表示がリアルタイムで更新される。
【００２４】
同期計測表示処理部３３は、設定される撮像パラメータに基づいてＮＭＲ信号の計測時間を算出し、算出した計測時間を示す表示を同期計測モニタ２０ａに表示するようになっている。特に、計測時間は、同期計測モニタ２０ａに表示された生体信号波形に時間的位置関係を対応付けて表示するようになっている。撮像パラメータは、エコータイム（ＴＥ）、ＲＦパルス繰返し時間（ＴＲ）、マルチスライス数、同期計測のインターバル、などの値（ＭＲ画像の撮像条件）が含まれる。これらの撮像パラメータの値は、ＣＰＵ８内の信号処理系７等のメモリに予め設定する他、操作部２５から、入力設定可能になっている。また、トリガ信号３５から計測を開始するまでのディレイ時間も、ＣＰＵ８内の信号処理系７等のメモリに予め設定する他、操作部２５から入力設定可能になっている。
【００２５】
本発明では、ディレイ時間と撮像パラメータとを操作部２５から入力設定すると、撮像パラメータの値によって計算される計測時間が、同期計測モニタ２０ａに表示される生体信号波形に同期させて表示される。
【００２６】
以下、生体信号表示処理部３２と同期計測表示処理部３３の詳細構成と、同期計測モニタ２０ａの表示形態を、実施例に分けて説明する。
【実施例１】
【００２７】
図３に、実施例１の生体信号表示処理部３２と同期計測表示処理部３３における動作手順のフローチャートを示す。同図に示すように、生体信号処理部３２は、生体信号センサ３１から生体信号を入力する（Ｓ１）。そして、生体信号波形から予め設定されているトリガの発生基準に一致するタイミングを検出し、トリガ信号３５を含む生体信号の少なくとも１周期分の生体信号を同期計測モニタ２０ａに出力する（Ｓ２）。これにより、図４に示すように、同期計測モニタ２０ａに生体信号波形２０３とトリガタイミング２０４が描画される。そして、生体信号処理部３２は、ステップＳ１とＳ２の処理を繰り返し、被検体１の心電、脈派又は呼吸の状態を表した生体信号波形２０３と、その生体信号波形２０３から検出したトリガタイミング２０４がリアルタイムに表示及び更新される。
【００２８】
同期計測表示処理部３３は、操作部２５から入力設定された撮像パラメータ、又は予め設定されている撮像パラメータを入力し、予め設定されている演算式により計測時間を算出する（Ｓ３）。その後、図４に示す同期計測モニタ２０ａに表示された撮像パラメータ適用ボタン２０２が押下されると（Ｓ４）、トリガタイミング２０４から設定されているディレイ時間２０５を遅らせた位置を開始位置２０６とする計測時間２０８が、満了する終了位置２０７まで、生体信号波形２０３に重ねて、異なる表示形態（例えば、太線又は色付け）で同期計測モニタ２０ａに表示する（Ｓ５）。このようにして、同期計測モニタ２０ａに同期計測波形２０１が表示される。
【００２９】
このように、生体信号波形２０３に重ねて計測時間２０８が表示されるから、検者は同期計測波形２０１を見るだけで、容易に計測時間の開始位置２０６と終了位置２０７を認識できる。その結果、検者は同期計測のディレイ時間２０５、計測時間２０８が生体信号波形２０３に対して適切か否かを容易に判断することができる（Ｓ６）。計測時間が適切と判断した場合は、検者は図１の操作部２５からＭＲ画像の撮像開始指令を入力することにより、ＣＰＵ８等により同期計測の撮像シーケンスが実行され、ＮＭＲ信号のデータが収集される。
【００３０】
一方、ステップＳ６における判断において、計測時間が長すぎて生体信号波形２０３の所定の範囲に収まらない場合、あるいは、短すぎて所望のＭＲ画像の計測に必要な生体信号波形２０３の周期が複数にわたる場合は、計測時間が不適切であると判断する。この場合、ステップＳ３に戻って、撮像パラメータを変更する操作情報を操作部２５から入力設定する。これにより、変更された撮像パラメータに基づいて、再度、計測時間を算出し（Ｓ３）、計測時間２０８が生体信号波形２０３に重ねて同期計測モニタ２０ａに表示する（Ｓ５）。検者は、同期計測モニタ２０ａの表示を見て、同期計測の計測時間が生体信号波形２０３に対して適切か否かを判断し（Ｓ６）、計測時間が適切になるように、撮像パラメータを繰り返し設定変更する。
【００３１】
なお、本実施例の同期計測波形２０１は、生体信号波形２０３の計測時間２０８に対応する部分の表示を、他の波形部分と異なる表示形態（例えば、太線又は色付け）で重ねて表示したが、本発明はこれに限られるものではない。計測時間は生体信号波形２０３以外の場所に、グラフの時間軸などを対応付けて表示してもよい。要は、計測時間を示す表示を同期計測モニタ２０ａに表示された生体信号波形２０３に時間的位置関係を対応付けて表示すればよい。
【実施例２】
【００３２】
図５に、実施例２の同期計測モニタ２０ａの表示内容を示す。本実施例の表示内容が実施例１と異なる点は、トリガタイミング３０２から生体信号波形２０３の表示を開始することにある。特に、計測時間２０８を生体信号波形２０３に重ねて表示することに代えて許容領域３０３を表示した同期計測波形３０１が異なる。
【００３３】
許容領域３０３は、計測時間と生体信号の許容振幅とからなる矩形の領域であり、撮像パラメータ適用ボタン２０２が押下され後に、生体信号波形２０３の時間軸及び振幅に対応する位置に表示される。計測時間は、実施例１と同様に撮像パラメータに基づいて算出される。同期計測における生体信号の許容振幅は、別途、検者が操作部２５から入力設定する。さらに、本実施例では、複数周期にわたって生体信号波形が許容領域に完全に収まった割合を、同期計測許容割合として許容率３０４を表示するようになっている。
【００３４】
つまり、本実施例では、操作部２５から入力設定される生体信号波形の許容振幅と計測時間の時間幅とからなる許容領域３０３を、生体信号波形２０３の時間的位置及び振幅位置に対応付けて重ねて表示した同期計測波形３０１にしている。また、計測時間内に生体信号波形の振幅が許容領域３０３に収まっているか否かを生体信号の複数周期にわたって判定し、生体信号波形の振幅が許容領域３０３に収まっている周期の割合を同期計測モニタ２０ａに表示するようにしている。
【００３５】
なお、好ましくは、生体信号波形が許容領域３０３に収まった場合に計測されたＮＭＲ信号のみを画像再構成に使用する。そのために、生体信号波形が許容領域３０３に収まらなかった場合に、計測されたＮＭＲ信号は、ＭＲ画像の画像再構成に使用しないで、同期計測をやり直してもよい。これによりアーチファクトの少ない安定した画質の画像が得られる。また、このとき表示する生体信号波形２０３は、トリガ信号３０２の位置を固定して表示したり、計測時間の開始を固定してディレイ時間によってトリガ信号３０２の位置を変化させてもよい。
【実施例３】
【００３６】
図６に、実施例３の同期計測モニタ２０ａの表示内容を示す。本実施例の表示内容が実施例１と異なる点は、トリガタイミング３０２から生体信号波形２０３の表示を開始すること、及び表示パラメータ部４０１を設けたことにある。表示パラメータ部４０１には、操作部２５から入力する指令によってボタン４０２を選択することにより、生体信号波形２０３の表示をリアルタイムに更新させることができる。また、ボタン４０３を選択することにより、パラメータ入力部４０５に設定された値の分の過去の生体信号波形のうち、計測時間がトリガータイミング３０２の１周期間に収まった生体信号波形の割合を、パラメータ表示部４０６に表示させることができる。さらに、ボタン４０４を選択することにより、過去の生体信号波形のうちトリガ間隔が最短となった生体信号波形を表示させることができる。
【００３７】
また、ＣＰＵ８は、操作部２５から同期計測の開始指令が入力されたときに同期計測を開始する。そして、同期計測の実行時に許容領域の計測時間内に生体信号波形の振幅が収まっているか否かを判定し、生体信号波形の振幅が許容領域に収まっている場合に、画像再構成手段に画像再構成を行わせる構成とすることができる。
【００３８】
なお、表示パラメータ部４０１には、検者が撮像開始した際に、撮像時間が延長する旨や、予め表示パラメータ部４０１に表示された割合から算出した延長時間を考慮した撮像時間を表示してもよい。また、実施例２の様に検者が生体信号波形部に許容領域３０３を指定し、許容領域３０３に収まらない場合に計測されたエコー信号（ＮＭＲ信号）は、画像再構成に使用せず計測し直してもよい。
【実施例４】
【００３９】
図７に、実施例４の同期計測モニタ２０ａの表示内容を示す。本実施例の同期計測表示処理部３３は、図５の実施例２と同様に、操作部２５から入力設定される生体信号波形の許容振幅と計測時間の時間幅とからなる許容領域３０３を、生体信号波形の時間的位置及び振幅位置に対応付けて、同期計測波形３０１に重ねて表示する。実施例２と異なる点は、本発明の計測制御部であるＣＰＵ８は、操作部２５から同期計測の開始指令が入力されたときに同期計測を開始する。そして、許容領域３０３内に収まる生体信号波形に基づいて計測されたＮＭＲ信号によるｋ空間の充足率を求めてパラメータ表示部５０１に表示する。つまり、撮像開始時はＮＭＲ信号の充足率は０から始まり、ｋ空間にＮＭＲ信号を充足するたびにパラメータ表示部５０１の充足率を更新する。そして、充足率が設定値に達したときにＭＲ画像の画像再構成を行わせるようにする。以降は、ＮＭＲ信号を収集するたびにＭＲ画像が更新される。
【００４０】
またＭＲ画像の撮像が完了するまでに、検者が許容領域３０３を変更した場合は、変更後の許容領域３０３から外れた生体信号波形について計測されたＮＭＲ信号については、再度、同期計測を行う。これにより、検者はリアルタイムに更新されるＭＲ画像を確認しながら、より質の良い画像を取得することができる。
【００４１】
以上、本発明を一実施形態及び実施例１〜５に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属することは当然のことである。
【００４２】
例えば、同期計測表示処理部３３は、操作部２５から同期計測の計測時間が入力された場合、入力された計測期間に対応して撮像パラメータを変更するようにすることができる。
【符号の説明】
【００４３】
２０：ディスプレイ、２０ａ：同期計測モニタ、２０１：同期計測波形、２０２：撮像パラメータ適用ボタン、２０３：生体信号波形、２０４：トリガタイミング、２０５：ディレイ時間、２０６：開始位置、２０７：終了位置、２０８：計測時間
【図１】
0006441650.tif 000002
【図２】
0006441650.tif 000003
【図３】
0006441650.tif 000004
【図４】
0006441650.tif 000005
【図５】
0006441650.tif 000006
【図６】
0006441650.tif 000007
【図７】
0006441650.tif 000008